(57)【要約】      （修正有）【課題】側板開閉操作時の労力軽減を実現し、操作者の安全性を図り、かつ、乾燥機内部のメンテナンスや清掃の簡略容易化を実現し得る乾燥機の側板開閉補助装置を提供する。【解決手段】穀物類の乾燥機の側板開閉補助装置１であって、側板５４ａの開閉操作に連動して変位するリンク機構部２と、乾燥機本体５１のリンク機構部の側方に配置される一端側を圧接端としたコイルバネ１２を伸縮可能に内装した固定配置のコイルバネ保持ユニット１１と、リンク機構部の変位に連動して、コイルバネの圧接端への圧縮、圧縮開放を行うコイルバネ伸縮機構部と、を有し、側板の開閉操作に伴って、リンク機構部、コイルバネ伸縮機構部を介してコイルバネを圧縮又は伸長させ、コイルバネの弾性力をコイルバネ伸縮機構部、リンク機構部を介して側板に反力として作用させることで、側板の開閉操作荷重を軽減させる。【選択図】図１１
0003226658.tif 000002
【実用新案登録請求の範囲】
【請求項１】
穀物類の乾燥機本体の側面に設けられて初期位置（閉じている状態）から開放状態を経て全開位置にわたって、或いは全開位置から閉鎖状態を経て初期位置にわたって開閉操作される側板の開閉補助を行うための乾燥機の側板開閉補助装置であって、
前記側板の開閉操作に連動して変位する回動アーム、第一リンクアーム部及び第二リンクアーム部を具備するリンク機構部と、
前記乾燥機本体における前記リンク機構部の側方に配置される一端側を圧接端としたコイルバネを伸縮可能に内装した固定配置のコイルバネ保持ユニットと、
前記リンク機構部の変位に連動して、前記コイルバネの圧接端への圧縮、圧縮開放を行うコイルバネ伸縮機構部と、
を有し、
前記側板の開閉操作に伴って、前記リンク機構部、前記コイルバネ伸縮機構部を介して前記コイルバネを圧縮又は伸長させ、前記コイルバネの圧縮又は伸長に伴う弾性力を前記コイルバネ伸縮機構部、前記リンク機構部を介して前記側板に反力として作用させることで、前記側板の開閉操作における荷重を軽減させつつ操作者の安全性を図り、かつ、乾燥機内部のメンテナンスや清掃の簡略容易化を実現し得るように構成したことを特徴とする乾燥機の側板開閉補助装置。
【請求項２】
穀物類の乾燥機本体の側面に設けられて初期位置（閉じている状態）から開放状態を経て全開位置にわたって、或いは全開位置から閉鎖状態を経て初期位置にわたって開閉操作される側板の開閉補助を行うための乾燥機の側板開閉補助装置であって、
乾燥機本体の側面において側板支持部により側面外方に開閉可能に支持された側板の外面側に対して一端を回動可能に連結した回動アームと、前記乾燥機本体における前記側板支持部の下方位置において前記乾燥機本体により下端側を回動可能に支持されて、上端側を前記回動アームの下端側と回動可能に連結した第一リンクアーム部と、下端側を前記第一リンクアーム部の途中位置に回動可能に連結して、上端側を前記第一リンクアーム部の下端側の支持位置より上方に突出させた第二リンクアーム部と、を具備するリンク機構部と、
前記乾燥機本体における前記リンク機構部の側方に配置されるとともに、前記乾燥機本体における前記第二リンクアーム部の上端側の突出位置の側方位置に配置される一端側を圧接端としたコイルバネを伸縮可能に内装した固定配置のコイルバネ保持ユニットと、
前記第二リンクアーム部の上端側に一端側を回動可能に連結し、他端側を前記コイルバネの一端側に臨ませた伝達アームと、この伝達アームの他端側に一端側を回動可能に連結し、他端側を前記コイルバネの長さ方向中心部を貫通させてその他端外方に突出させたコイルバネ貫通棒体と、このコイルバネ貫通棒体の他端側に取り付けたコイルバネの他端側に当接させるコイルバネ当接板と、を具備し、前記側板の開閉操作に伴う前記回動アーム、第一リンクアーム部、第二リンクアーム部の変位を前記伝達アーム、コイルバネ貫通棒体を経て前記コイルバネ当接板に伝達し、前記コイルバネの固定端への圧縮、圧縮開放を行うコイルバネ伸縮機構部と、
を有し、
前記側板の開閉操作に伴って、前記リンク機構部、前記コイルバネ伸縮機構部を介して前記コイルバネを圧縮又は伸長させ、前記コイルバネの圧縮又は伸長に伴う弾性力を前記コイルバネ当接板、前記コイルバネ貫通棒体、伝達アーム及びリンク機構部を介して前記側板に反力として作用させることで、前記側板の開閉操作における荷重を軽減させつつ操作者の安全性を図り、かつ、乾燥機内部のメンテナンスや清掃の簡略容易化を実現し得るように構成したことを特徴とする乾燥機の側板開閉補助装置。
【請求項３】
前記コイルバネ貫通棒体の他端側には、ネジ部が設けられ、このネジ部に螺着したナットの回転により前記コイルバネ当接板による前記コイルバネの圧接端への圧縮、圧縮開放に伴う弾性力を調整可能としたことを特徴とする請求項２記載の乾燥機の側板開閉補助装置。
【請求項４】
前記伝達アームにおける変位領域に、この伝達アームの前記リンク機構部の変位に伴う移動ガイドを行う伝達アーム移動ガイド機構部を備えることを特徴とする請求項２又は３記載の乾燥機の側板開閉補助装置。
【請求項５】
前記回動アーム、第一リンクアーム部及び第二リンクアーム部を具備するリンク機構部、コイルバネ保持ユニット、コイルバネ伸縮機構部は、乾燥機本体の左右の側面に各々設けられていることを特徴とする請求項１乃至４のいずれか１項に記載の乾燥機の側板開閉補助装置。
【考案の詳細な説明】
【技術分野】
【０００１】
本考案は、穀物類の乾燥機の側板開閉補助装置に関するものであり、詳しくは、穀物類の乾燥機における初期位置（閉じている状態）から開放状態を経て全開位置にわたって、或いは全開位置から閉鎖状態を経て初期位置にわたって開閉操作される側板の開閉操作荷重の軽減を図って側板開閉操作時の労力軽減を実現し、操作者の安全性を図り、かつ、乾燥機内部のメンテナンスや清掃の簡略容易化を実現し得る乾燥機の側板開閉補助装置を提供するものである。
【背景技術】
【０００２】
近年、農業分野においては、新規農業に参入する者や若年層の就労が話題化されてきているが、依然として農業就労者の高齢化が進んでいる。
【０００３】
また、同様に、米作りにおいて、うるち米・糯米など多品種を生産し、収益向上・作業効率の平準化が進んでいる。
【０００４】
それに合わせて、穀物類の乾燥機のメンテナンスや異品種混入防止を進めなくてはならなくなって来ているのが現状である。
【０００５】
特に種子穀物については、異品種混入は避けなくてはならないので、機械内部の清掃は必須になっている。
【０００６】
穀物の乾燥を行う際には、灯油を燃焼させ空気を暖め、その温められた空気を利用して穀物を暖めて、穀物の乾燥を行うが、大量の穀物を乾燥させる際には、部分的に穀物層を薄くし熱交換を行い易い機体構造にし、穀物を循環させて行なっている。
【０００７】
この時、乾燥部はその上部の貯留部にある穀物を受け止めなくてはならないので、機体構成上前後板に対し通風壁及び左右の側板は、レール、ねじ、更にはクサビ等を利用して固定している。
【０００８】
一般的な乾燥部内の清掃やメンテナンスを行なうには、左右側板、通風壁を固定しているねじ、クサビを外して、これら左右側板や通風壁を外している。
【０００９】
また、機体構成の大きさによっては乾燥部内の清掃やメンテナンスを二人作業で行なっている。更に、一部の乾燥機には前後左右側板、通風壁の一部分を取り外し、内部へのアクセスを容易にしているものもある。
【００１０】
そのような状況のなか、従来装置においては、上述した乾燥部内の清掃やメンテナンス作業の容易化のために、左右側板と通風壁とが一体的に固定された状態で、丁番を介して上下に開閉できるように改良を施し、左右側板を前後板に固定していた金具を外すことで、これら左右側板を各々開閉するようにした構成を一部穀物乾燥機に採用している。
【００１１】
しかし、左右側板と通風壁が一体的になっていることから、乾燥部側板の重量が増大してしまうことになっている。
【００１２】
狭い空間での側板の開閉動作、多品種の穀物乾燥作業時や、設置台数が多くなることで、清掃やメンテナンス時等の作業者の腕や腰の力的負担が一層大きくなってしまい作業者の危険にもつながりかねない状況にある。
【００１３】
特許文献１には、集穀部の上方に順次乾燥部、貯留槽を載置し、流下する穀物を集穀部より貯留槽上部へ循環する揚穀機を付設した穀物乾燥機において、乾燥部側壁の上下を二分し、その側壁とで排風路、又は熱風路を形成する通風壁をも上下に二分し、上記側壁と一体的に着脱自在に成すとともに、少なくとも上方の側壁部を中心に上方へ回動自在と成した循環型穀物乾燥機の清掃装置が開示されている。
【００１４】
この特許文献１の循環型穀物乾燥機の清掃装置においては、通風壁を側壁と一体的に着脱自在に成すと共に、少なくとも上方の側壁部を中心に上方へ回動自在としたものであるが、この場合においても側壁部の重量が大きいことから、清掃やメンテナンスを行う際の側壁部開閉操作時の作業者の腕や腰の力的負担が大きくなっていた。
【先行技術文献】
【特許文献】
【００１５】
【特許文献１】実公平６−４８３０５号公報
【考案の概要】
【考案が解決しようとする課題】
【００１６】
本考案は、上記従来の実情に鑑み開発されたものであり、乾燥機における初期位置（閉じている状態）から開放状態を経て全開位置にわたって、或いは全開位置から閉鎖状態を経て初期位置にわたって開閉操作される側板の開閉操作荷重の軽減を図って側板開閉操作時の労力軽減を実現し、操作者の安全性を図り、かつ、乾燥機内部のメンテナンスや清掃の簡略容易化を実現し得る乾燥機の側板開閉補助装置を提供するものである。
【課題を解決するための手段】
【００１７】
本考案は、穀物類の乾燥機本体の側面に設けられる側板開閉補助であり、初期位置（閉じている状態）から開放状態を経て全開位置にわたって、或いは全開位置から閉鎖状態を経て初期位置にわたって開閉操作される側板の開閉補助を行うための乾燥機の側板開閉補助装置であって、前記側板の開閉操作に連動して変位する回動アーム、第一リンクアーム部及び第二リンクアーム部を具備するリンク機構部と、前記乾燥機本体における前記リンク機構部の側方に配置される一端側を圧接端としたコイルバネを伸縮可能に内装した固定配置のコイルバネ保持ユニットと、前記リンク機構部の変位に連動して、前記コイルバネの圧接端への圧縮、圧縮開放を行うコイルバネ伸縮機構部と、を有し、前記側板の開閉操作に伴って、前記リンク機構部、前記コイルバネ伸縮機構部を介して前記コイルバネを圧縮又は伸長させ、前記コイルバネの圧縮又は伸長に伴う弾性力を前記コイルバネ伸縮機構部、前記リンク機構部を介して前記側板に反力として作用させることで、前記側板の開閉操作荷重を軽減させつつ操作者の安全性を図り、かつ、乾燥機内部のメンテナンスや清掃の簡略容易化を実現し得るように構成したことを主要な特徴とする。
【考案の効果】
【００１８】
請求項１記載の考案によれば、穀物類の乾燥機における初期位置（閉じている状態）から開放状態を経て全開位置にわたって、或いは全開位置から閉鎖状態を経て初期位置にわたって開閉操作される側板の開閉操作荷重の軽減を図って、側板開閉操作時における労力を軽減させつつ操作者の安全性を図り、かつ、乾燥機内部のメンテナンスや清掃の簡略容易化を実現し得る乾燥機の側板開閉補助装置を実現し提供することができる。
【００１９】
請求項２記載の考案によれば、乾燥機本体の側面において側板支持部により側面外方に開閉可能に支持された側板の外面側に対して一端を回動可能に連結した回動アームと、前記乾燥機本体における前記側板支持部の下方位置において前記乾燥機本体により下端側を回動可能に支持されて、上端側を前記回動アームの下端側と回動可能に連結した第一リンクアーム部と、下端側を前記第一リンクアーム部の途中位置に回動可能に連結し、上端側を前記第一リンクアーム部の下端側の支持位置より上方に突出させた第二リンクアーム部と、を具備するリンク機構部と、前記乾燥機本体における前記リンク機構部の側方に配置されるとともに、前記乾燥機本体における前記第二リンクアーム部の上端側の突出位置の側方位置に配置される一端側を圧接端としたコイルバネを伸縮可能に内装した固定配置のコイルバネ保持ユニットと、前記第二リンクアーム部の上端側に一端側を回動可能に連結し、他端側を前記コイルバネの一端側に臨ませた伝達アームと、この伝達アームの他端側に一端側を回動可能に連結し、他端側を前記コイルバネの長さ方向中心部を貫通させて、その他端外方に突出させたコイルバネ貫通棒体と、このコイルバネ貫通棒体の他端側に取り付けたコイルバネの他端側に当接させるコイルバネ当接板と、を具備し、前記側板の開閉操作に伴う前記回動アーム、第一リンクアーム部、第二リンクアーム部の変位を前記伝達アーム、コイルバネ貫通棒体を経て前記コイルバネ当接板に伝達し、前記コイルバネの固定端への圧縮、圧縮開放を行うコイルバネ伸縮機構部と、を有する構成の基に、前記請求項１記載の考案と同様な効果を奏する乾燥機の側板開閉補助装置を実現し提供することができる。
【００２０】
請求項３記載の考案によれば、請求項２記載の考案の効果を奏し、かつ、コイルバネの圧接端への圧縮、圧縮開放に伴う弾性力を調整することが可能な乾燥機の側板開閉補助装置を実現し提供することができる。
【００２１】
請求項４記載の考案によれば、請求項２又は３記載の考案の効果を奏し、かつ、伝達アーム移動ガイド機構部により、前記リンク機構部の変位に伴う伝達アームの移動ガイドを円滑に行うことができる乾燥機の側板開閉補助装置を実現し提供することができる。
【００２２】
請求項５記載の考案によれば、乾燥機本体の左右の側面に各々設けた側板に関して、請求項１乃至４のいずれか１項に記載の考案の効果を奏する乾燥機の側板開閉補助装置を実現し提供することができる。
【図面の簡単な説明】
【００２３】
【図１】図１は本考案の実施例に係る右側の乾燥機の側板開閉補助装置の動作による側板全開状態、及び乾燥機本体を示す概略正面図である。
【図２】図２は本実施例に係る右側の乾燥機の側板開閉補助装置の動作による側板全開状態、及び乾燥機本体を示す概略背面図である。
【図３】図３は本実施例に係る右側の乾燥機の側板開閉補助装置の動作による側板全開状態、及び乾燥機本体を示す概略右側面図である。
【図４】図４は本実施例に係る左側の乾燥機の側板開閉補助装置の動作無しの場合の側板全閉状態、及び乾燥機本体を示す概略左側面図である。
【図５】図５は本実施例に係る乾燥機の側板開閉補助装置のみを示す概略正面図である。
【図６】図６は本実施例に係る乾燥機の側板開閉補助装置のみを示す概略背面図である。
【図７】図７は本実施例に係る乾燥機の側板開閉補助装置のみを示す概略左側面図である。
【図８】図８は本実施例に係る乾燥機の側板開閉補助装置のみを示す概略斜視図である。
【図９】図９は本実施例に係る乾燥機の側板開閉補助装置のみであり、かつ、一部を切欠して示す概略斜視図である。
【図１０】図１０は本実施例に係る乾燥機本体の左右の側板全閉状態における左右の乾燥機の側板開閉補助装置を示す概略縦断面図である。
【図１１】図１１は本実施例に係る乾燥機本体の左側の側板全閉状態、右側の側板４５度開状態の左右の乾燥機の側板開閉補助装置を示す概略縦断面図である。
【図１２】図１２は本実施例に係る乾燥機本体の左側の側板全閉状態、右側の側板９０度開状態の左右の乾燥機の側板開閉補助装置を示す概略縦断面図である。
【図１３】図１３は本実施例に係る乾燥機本体の左側の側板全閉状態、右側の側板１３５度開状態の左右の乾燥機の側板開閉補助装置を示す概略縦断面図である。
【図１４】図１４は本実施例に係る乾燥機本体の左側の側板全閉状態、右側の側板全開状態の左右の乾燥機の側板開閉補助装置を示す概略縦断面図である。
【図１５】図１５は本実施例に係る乾燥機の側板開閉補助装置であって、右側の側板全閉状態、右側の側板９０度開状態、及び右側の側板全開状態における右側の側板に関する荷重軽減効果を示す効果説明図である。
【考案を実施するための形態】
【００２４】
本考案は、穀物類の乾燥機における初期位置（閉じている状態）から開放状態を経て全開位置にわたって、或いは全開位置から閉鎖状態を経て初期位置にわたって開閉操作される側板の開閉操作荷重の軽減を図って、側板開閉操作時における労力を軽減させつつ操作者の安全性を図り、かつ、乾燥機内部のメンテナンスや清掃の簡略容易化を実現し得る乾燥機の側板開閉補助装置を提供するという目的を、乾燥機本体の側面において側板支持部により側面外方に開閉可能に支持された側板の外面側に対して一端を回動可能に連結した回動アームと、前記乾燥機本体における前記側板支持部の下方位置において前記乾燥機本体により下端側を回動可能に支持され、上端側を前記回動アームの下端側と回動可能に連結した第一リンクアーム部と、下端側を前記第一リンクアーム部の途中位置に回動可能に連結し、上端側を前記第一リンクアーム部の下端側の支持位置より上方に突出させた第二リンクアーム部と、を具備するリンク機構部と、前記乾燥機本体における前記リンク機構部の側方に配置されるとともに、前記乾燥機本体における前記第二リンクアーム部の上端側の突出位置の側方位置に配置される一端側を圧接端としたコイルバネを伸縮可能に内装した固定配置のコイルバネ保持ユニットと、前記第二リンクアーム部の上端側に一端側を回動可能に連結し、他端側を前記コイルバネの一端側に臨ませた伝達アームと、この伝達アームの他端側に一端側を回動可能に連結し、他端側を前記コイルバネの長さ方向中心部を貫通させてその他端外方に突出させたコイルバネ貫通棒体と、このコイルバネ貫通棒体の他端側に取り付けたコイルバネの他端側に当接させるコイルバネ当接板と、を具備し、前記側板の開閉操作に伴う前記回動アーム、第一リンクアーム部、第二リンクアーム部の変位を前記伝達アーム、コイルバネ貫通棒体を経て前記コイルバネ当接板に伝達し、前記コイルバネの固定端への圧縮、圧縮開放を行うコイルバネ伸縮機構部と、を有し、前記側板の開閉操作に伴って、前記リンク機構部、前記コイルバネ伸縮機構部を介して前記コイルバネを圧縮又は伸長させ、前記コイルバネの圧縮又は伸長に伴う弾性力を前記コイルバネ当接板、前記コイルバネ貫通棒体、伝達アーム、及びリンク機構部を介して前記側板に反力として作用させることで、前記側板の開閉操作荷重を軽減させる構成により実現した。
【実施例】
【００２５】
以下、図面を参照して、本考案の実施例に係る乾燥機の側板開閉補助装置について詳細に説明する。
【００２６】
まず、図１乃至図４、及び図５乃至図９を参照して、本考案の実施例に係る穀類の乾燥を行う乾燥機を構成する乾燥機本体５１、及びこの乾燥機本体５１の左右の側面に各々配置した左右の乾燥機の側板開閉補助装置１、１の動作うち、左側の側板５４ａを全閉状態とするとともに、右側の側板５４ａを全開状態とした場合について説明する。
【００２７】
すなわち、図１は本実施例に係る右側の乾燥機の側板開閉補助装置１の動作による右側の側板５４ａ（右側の下側板：以下同様）の全開状態における乾燥機本体５１の正面を示し、図２は前記右側の乾燥機の側板開閉補助装置１の動作による右側の側板５４ａ全開状態における乾燥機本体５１の背面を示し、図３は本実施例に係る右側の乾燥機の側板開閉補助装置１の動作による側板５４ａの全開状態における乾燥機本体５１の右側面を示し、図４は本実施例に係る左側の乾燥機の側板開閉補助装置１の動作無しの場合の左側の側板５４ａの全閉状態における乾燥機本体５１の左側面を示している。
【００２８】
前記乾燥機本体５１は、上部側に穀類の乾燥を行う乾燥部５２、下部側面側に本実施例の乾燥機の側板開閉補助装置１、１の大部分を各々収容する集穀部５３を有して構成している。
【００２９】
前記乾燥機本体５１における乾燥部５２の左右の側面部には、前記側板５４ａ及びこの側板５４ａと対となる上側板５４ｂを各々個別に開閉可能に配置している。
【００３０】
前記側板５４ａ及び上側板５４ｂを総称して上下分割構造の側板部５４と言うものとして以下の説明を行う。
【００３１】
前記側板５４ａは前記乾燥部５２の左右の側面部に配置した下部丁番５５ａにより、前記上側板５４ｂは前記乾燥部５２の左右の側面部に配置した上部丁番５５ｂにより各々前記乾燥部５２の側方領域において開閉可能となっている。
【００３２】
また、前記側板５４ａはこの側板５４ａを前記乾燥部５２の側壁に固定するための下止め具５６ａを、前記上側板５４ｂはこの上側板５４ｂを前記乾燥部５２の側壁に固定するための上止め具５６ｂを各々備えている。
【００３３】
なお、実際の乾燥機においては、前記乾燥部５２の上部に穀類を貯留する貯留部を搭載しているが本実施例では図示省略する。
【００３４】
また、前記乾燥部５２及び集穀部５３は、穀類の乾燥のための乾燥機器類、操作盤を備えているが、ここではその詳細説明は省略する。
【００３５】
次に、本実施例の乾燥機の側板開閉補助装置１について図５乃至図９をも参照して詳述する。
【００３６】
本実施例の乾燥機の側板開閉補助装置１は、前記側板５４ａの開閉操作に連動して変位する回動アーム３、第一リンクアーム部４及び第二リンクアーム部５を具備するリンク機構部２と、前記乾燥機本体５１における前記リンク機構部２の側方（前記集穀部５３の左右の側壁内部）に各々配置されるとともに一端側を圧接端としたコイルバネ１２を伸縮可能に内装した固定配置のコイルバネ保持ユニット１１と、前記リンク機構部２の変位に連動して、前記コイルバネ１２の圧接端への圧縮、圧縮開放を行うコイルバネ伸縮機構部２１と、を有している。
【００３７】
更に詳述すると、本実施例の乾燥機の側板開閉補助装置１は、乾燥機本体５１の側面において側板支持部である前記下部丁番５５ａにより側面外方に開閉可能に支持された側板５４ａの外面側において前記側板５４ａに一体的に添設した添設板５４ｃに設けた軸支部６１により一端を回動可能に連結した回動アーム３と、前記乾燥機本体５１における前記下部丁番５５ａの下方位置において前記乾燥機本体５１に固定配置したコイルバネ保持ユニット１１により下端側を、軸支部６２を用いて回動可能に支持され、上端側を前記回動アーム３の下端側と軸支部６３を用いて回動可能に連結した第一リンクアーム部４と、下端側を前記第一リンクアーム部４の途中位置に軸支部６４を用いて回動可能に連結し、上端側を前記第一リンクアーム部４の下端側の支持位置より上方に突出させた第二リンクアーム部５と、を具備するリンク機構部２と、前記乾燥機本体５１における前記リンク機構部２の側方に配置されるとともに、前記乾燥機本体５１における前記第二リンクアーム部５の上端側の突出位置の側方位置に配置される一端側を圧接端としたコイルバネ１２を伸縮可能に内装した前記集穀部５３に対して固定配置のコイルバネ保持ユニット１１と、前記第二リンクアーム部５の上端側に一端側を軸支部６５を用いて回動可能に連結し、他端側を前記コイルバネ１２の一端側に臨ませた伝達アーム７１と、この伝達アーム７１の他端側に一端側を軸支部６６を用いて回動可能に連結し、他端側を前記コイルバネ１２の長さ方向中心部を貫通させてその他端外方に突出させたコイルバネ貫通棒体７２と、このコイルバネ貫通棒体７２の他端側に位置調整可能に取り付けた前記コイルバネ１２の他端側に当接させるコイルバネ当接板７３と、を具備し、更に、前記側板５４ａの開閉操作に伴う前記回動アーム３、第一リンクアーム部４、第二リンクアーム部５の変位を前記伝達アーム７１、コイルバネ貫通棒体７２を経て前記コイルバネ当接板７３に伝達し、前記コイルバネ１２の圧接端への圧縮、圧縮開放を行うコイルバネ伸縮機構部２１と、を有している。
【００３８】
なお、図中における符号８４は取り付けプレートである。
【００３９】
前記伝達アーム７１の外周領域は前記集穀部５３に対して固定配置の固定フレーム８１により包囲され、また、前記コイルバネ１２の外周領域は前記固定フレーム８１の側方に固定配置したコイルバネ収容筒８２により包囲されている。
【００４０】
そして、コイルバネ収容筒８２の前記固定フレーム８１側の端部に設けた円環状突片８２ａを前記コイルバネ１２の圧接端として機能させるように構成している。
【００４１】
前記コイルバネ貫通棒体７２の他端外方部分にはネジ部７２ａが設けられ、このネジ部７２ａに螺着したナット８３の回転操作により前記コイルバネ当接板７３による前記コイルバネ１２の圧接端への圧縮、圧縮開放に伴う弾性力を調整可能としている。
【００４２】
前記固定フレーム８１内に位置する前記伝達アーム７１の下側には、前記伝達アーム７１の下辺部に摺接してこの伝達アーム７１の前記リンク機構部２の変位に伴う移動ガイドを行う伝達アーム移動ガイド機構部９１を設けている。
【００４３】
すなわち、前記伝達アーム移動ガイド機構部９１は、前記軸支部６５の近傍に位置して前記固定フレーム８１に設けた軸支部６７により回動可能に軸支されるとともに、前記伝達アーム７１に沿う方向に配置した回動筒９２と、この回動筒９２により支持されるとともに前記前記伝達アーム７１の下辺部に摺接してその移動ガイドを行う移動ガイド板９３とを具備し、これにより、前記リンク機構部２における回動アーム３、第一リンクアーム部４、第二リンクアーム部５の変位に伴う前記伝達アーム７１の変位を円滑に実行し得るように構成している。
【００４４】
次に、図１０乃至図１４、及び図１５を参照して、本実施例に係る乾燥機の側板開閉補助装置１による主に乾燥機本体５１の右側の側板５４ａの開操作、及び右側の側板５４ａに関する開操作時の荷重軽減効果について説明する。
【００４５】
なお、図１０は本実施例に係る乾燥機の側板開閉補助装置１の操作無し時の乾燥機本体５１の左右の側板５４ａの全閉状態を示し、図１１は本実施例に係る乾燥機の側板開閉補助装置１の操作時の左側の側板５４ａの全閉状態、右側の側板５４ａの４５度開状態を示し、図１２は本実施例に係る乾燥機の側板開閉補助装置１の操作時の左側の側板５４ａの全閉状態、右側の側板５４ａの９０度開状態を示し、図１３は本実施例に係る乾燥機の側板開閉補助装置１の操作時の左側の側板５４ａの全閉状態、右側の側板５４ａの１３５度開状態を示し、図１４は本実施例に係る本実施例に係る乾燥機の側板開閉補助装置１の操作時の左側の側板５４ａの全閉状態、右側の側板５４ａの全開状態を示し、また、図１５は右側の側板５４ａの全閉状態、及び右側の側板５４ａの９０度開状態、右側の側板５４の全開状態の場合の荷重軽減効果を示すものである。
【００４６】
前記乾燥機本体５１において、本実施例の乾燥機の側板開閉補助装置１による右側の側板５４ａの開操作は以下の通りである。
【００４７】
本実施例に係る乾燥機の側板開閉補助装置１の操作無し時の乾燥機本体５１の左右の側板５４ａの全閉状態（図１０）を初期状態とする。
【００４８】
操作者が右側の側板５４ａの上端の操作片部５４ｄを手に持ち、前記下部丁番５５ａを支点として図１１に示す矢印方向に例えば側板５４ａを４５度開いた位置まで回動させると、このとき、前記リンク機構部２における回動アーム３、第一リンクアーム部４、第二リンクアーム部５は図１１に示す矢印方向に変位し、これらの変位に伴って前記コイルバネ伸縮機構部２１を構成する伝達アーム７１も前記伝達アーム移動ガイド機構部９１により円滑にガイドされつつ図１１に示す矢印方向に変位する。
【００４９】
そして、前記伝達アーム７１からコイルバネ貫通棒体７２を経てコイルバネ当接板７３に前記乾燥機本体５１における前記リンク機構部２の変位に応じた操作力が伝達され、これに伴い、前記コイルバネ当接板７３が前記コイルバネ１２側に圧接し前記コイルバネ１２に縮み力が作用する。
【００５０】
前記コイルバネ１２が縮むと、このコイルバネ１２の縮みに伴い、コイルバネ１２の弾性力が前記コイルバネ当接板７３に作用し、この結果、前記側板５４ａの開操作に伴って、前記コイルバネの弾性力が前記コイルバネ当接板７３、前記コイルバネ貫通棒体７２、伝達アーム７１、及びリンク機構部２を介して前記側板５４ａに反力として作用することになり、前記側板５４ａの開閉操作荷重が軽減されることになる。
【００５１】
すなわち、この場合の前記側板５４ａの開操作荷重の軽減効果は、例えば図１５中欄に示すように、本実施例に係る乾燥機の側板開閉補助装置１が無い場合の前記側板５４ａの持ち上げ荷重が約２４ｋｇであるのに対して、本実施例に係る乾燥機の側板開閉補助装置１動作させた場合には約２ｋｇと乾燥機の側板開閉補助装置１の無い場合に比べて、大幅に軽減される（前記側板５４ａの全重量４３ｋｇの場合）。
【００５２】
次に、図１２に示すように、操作者が右側の側板５４ａの上端の操作片部５４ｄを手に持ち、前記右側の側板５４ａを初期位置から９０度開いた位置まで回動させると、このとき、前記リンク機構部２における回動アーム３、第一リンクアーム部４、第二リンクアーム部５は図１２に示す矢印方向に更に変位し、これらの変位に伴って前記コイルバネ伸縮機構部２１を構成する伝達アーム７１も前記伝達アーム移動ガイド機構部９１により円滑にガイドされつつ図１２に示す矢印方向に更に変位する。
【００５３】
そして、前記伝達アーム７１からコイルバネ貫通棒体７２を経てコイルバネ当接板７３に前記乾燥機本体５１における前記リンク機構部２の変位に応じた図１１の場合よりも大きな操作力が伝達され、これに伴い、前記コイルバネ当接板７３が前記コイルバネ１２側により強く圧接し前記コイルバネ１２に図１１の場合よりも大きな縮み力が作用する。
【００５４】
前記コイルバネ１２が図１１の場合よりも大きく縮むと、このコイルバネ１２の縮みに伴って、コイルバネ１２の図１１の場合よりも大きな弾性力が前記コイルバネ当接板７３に作用し、この結果、前記側板５４ａの開操作に伴って、前記コイルバネの弾性力が前記コイルバネ当接板７３、前記コイルバネ貫通棒体７２、伝達アーム７１、及びリンク機構部２を介して、前記側板５４ａに図１１の場合よりも大きな反力として作用することになり、前記側板５４ａの開閉操作荷重が乾燥機の側板開閉補助装置１の無い場合に比べ、大きく軽減されることになる。
【００５５】
次に、図１３に示すように、操作者が右側の側板５４ａの上端の操作片部５４ｄを手に持ち、前記右側の側板５４ａを初期位置から１３５度開いた位置まで回動させると、このとき、前記リンク機構部２における回動アーム３、第一リンクアーム部４、第二リンクアーム部５は図１３に示す矢印方向に更に変位し、これらの変位に伴って前記コイルバネ伸縮機構部２１を構成する伝達アーム７１も前記伝達アーム移動ガイド機構部９１により円滑にガイドされつつ図１３に示す矢印方向に更に変位する。
【００５６】
そして、前記伝達アーム７１からコイルバネ貫通棒体７２を経てコイルバネ当接板７３に前記乾燥機本体５１における前記リンク機構部２の変位に応じた図１２の場合よりも大きな操作力が伝達され、これに伴い、前記コイルバネ当接板７３が前記コイルバネ１２側により強く圧接し前記コイルバネ１２に図１２の場合よりも大きな縮み力が作用する。
【００５７】
前記コイルバネ１２が図１２の場合よりも大きく縮むと、このコイルバネ１２の縮みに伴って、コイルバネ１２に図１２の場合よりも大きな弾性力が前記コイルバネ当接板７３に作用し、この結果、前記側板５４ａの開操作に伴って、前記コイルバネの弾性力が前記コイルバネ当接板７３、前記コイルバネ貫通棒体７２、伝達アーム７１、及びリンク機構部２を介して、前記側板５４ａに図１２の場合よりも大きな反力として作用することになり、前記側板５４ａの開閉操作荷重が、乾燥機の側板開閉補助装置１の無い場合に比べて、大きく軽減されることになる。
【００５８】
次に、図１４に示すように、操作者が右側の側板５４ａの上端の操作片部５４ｄを手に持ち、前記右側の側板５４ａを全開位置まで回動させると、このとき、前記リンク機構部２における回動アーム３、第一リンクアーム部４、第二リンクアーム部５は図１４に示す矢印方向に更に僅かに変位し、これらの変位に伴って前記コイルバネ伸縮機構部２１を構成する伝達アーム７１も前記伝達アーム移動ガイド機構部９１により円滑にガイドされつつ図１４に示す矢印方向に更に僅かに変位する。
【００５９】
そして、前記伝達アーム７１からコイルバネ貫通棒体７２を経てコイルバネ当接板７３に前記乾燥機本体５１における前記リンク機構部２の変位に応じた図１３の場合よりも大きな操作力が伝達され、これに伴って、前記コイルバネ当接板７３が前記コイルバネ１２側により強く圧接し前記コイルバネ１２に図１３の場合と略同等な大きな縮み力が作用する。
【００６０】
前記コイルバネ１２が図１３の場合よりも僅かに縮むと、このコイルバネ１２の縮みに伴って、コイルバネ１２に図１３の場合と略同等な大きな弾性力が前記コイルバネ当接板７３に作用し、この結果、前記側板５４ａの開操作に伴って、前記コイルバネの弾性力が前記コイルバネ当接板７３、前記コイルバネ貫通棒体７２、伝達アーム７１、及びリンク機構部２を介して前記側板５４ａに図１３の場合と略同等な大きな反力として作用することになり、前記側板５４ａの開閉操作荷重が図１３の場合と略同等に軽減されることになる。
【００６１】
すなわち、この場合の前記側板５４ａの開操作荷重の軽減効果は、例えば図１５最右欄に示すように、本実施例に係る乾燥機の側板開閉補助装置１が無い場合の前記側板５４ａの持ち上げ荷重が約１０ｋｇであるのに対して、本実施例に係る乾燥機の側板開閉補助装置１動作させた場合には４ｋｇと乾燥機の側板開閉補助装置１が無い場合に比べて、大幅に軽減される（前記側板５４ａの全重量４３ｋｇの場合）。
【００６２】
また、図１４に示すように、前記右側の側板５４ａが全開位置を占める場合には、前記乾燥部５２の側板側が大きく開口し、その内部のメンテナンスや清掃が簡略容易となる。
【００６３】
以上の説明においては、乾燥機本体５１の右側の側板５４ａの開操作を主として説明したが、乾燥機本体５１の左側の側板５４ａの開操作を行う場合にも全く同様な作用、効果を得ることができる。
【００６４】
また、前記側板５４ａの全開位置から初期位置への閉操作を行う場合にも、上述した場合と同様にして乾燥機の側板開閉補助装置１が無い場合に比べ、側板５４ａに関して開閉操作荷重の軽減効果を得ることができる。
【００６５】
更に、詳細説明は省略するが、前記乾燥機本体５１の乾燥部５２の前板、後板にも上述したような開閉補助装置を付加する構成を採用することも可能である。
【００６６】
本実施例の乾燥機の側板開閉補助装置１について更に付言すると、前記側板５４ａが回動して下がってきた時に、リンク機構２を介しコイルバネ１２を圧縮させ、その弾性力によりの側板５４ａの重量（荷重）に対し均衡を保とうとさせる。
【００６７】
この場合、リンク機構部２のリンク比、コイルバネ１２の弾性係数によって動作荷重が変わるが、概ね側板５４ａが水平に開いている時の荷重が開閉補助装置無しの場合に比べ１／３の荷重になるくらいが望ましいと推定される。
【００６８】
また、操作者の側板５４ａを保持している手を離しても側板５４ａが開き（下方に）又は閉じる（上方に）動きをしないことも望ましい。これにより、コイルバネ１２の弾性力で、操作者が手で支えていない場合でも側板５４ａが急激な動きをしないことになる。
【００６９】
このような本実施例の乾燥機の側板開閉補助装置１を設置することで、操作者が乾燥機本体５１の内部の清掃やメンテナンスを行なう際に、重量の有る側板５４ａの開閉動作を一人の操作者で簡略容易に行うことが可能となる。
【００７０】
また、本実施例の乾燥機の側板開閉補助装置１によれば、例えば乾燥機本体５１が左右方向に連続的に配置されていても、狭い空間で側板５４ａに正対に位置して操作しなくてもよく、すなわち、乾燥機本体５１の概ね前後位置にいても側板５４ａの開閉動作を実行することもできる。
【００７１】
他方、コイルバネ１２の弾性保持力による均衡により、側板５４ａの落下現象による操作者の指の挟み込や重量物持ち揚げのための操作者の腕や腰への負担を大幅に軽減ができ、操作者の作業安全にも効果を発揮する。
【００７２】
更に、複数台の乾燥機本体５１が左右連続的に配置されて隣接された機械等との隙間が少ないときにおいては、例えば、乾燥機本体５１の前・後に側板（前板、後板）を設けて当該側板が何らかの形態で開閉できるように構成して前記本実施例の側板開閉補助装置を適用することができる。
【００７３】
すなわち、乾燥機本体５１の左右方向には、隣接する複数台の乾燥機本体５１や壁等が存在することが多く、他方、乾燥機本体５１の前後方向については穀類の張り込み排出系や、操作系、排風系が存在するので、前後方向に関してはスペースの確保が容易な場合がある。
【００７４】
このため、乾燥機本体５１の前後の側板（前板、後板）を開閉可能とすれば、内部のメンテナンス、清掃が容易になる利点が存する。
【産業上の利用可能性】
【００７５】
本考案に係る乾燥機の側板開閉補助装置は、穀類の乾燥機用とする場合の他、箱型状の筐体、開閉可能な側板を備え、側板を開いて筐体内部の機器類のメンテナンス、清掃等を行う構成の各種装置用として広範に利用可能である。
【符号の説明】
【００７６】
１    乾燥機の側板開閉補助装置
２    リンク機構部
３    回動アーム
４    第一リンクアーム部
５    第二リンクアーム部
１１    コイルバネ保持ユニット
１２    コイルバネ
２１    コイルバネ伸縮機構部
５１    乾燥機本体
５２    乾燥部
５３    集穀部
５４    側板部
５４ａ  側板
５４ｂ  上側板
５４ｃ  添設板
５４ｄ  操作片部
５５ａ  下部丁番
５５ｂ  上部丁番
５６ａ  下止め具
５６ｂ  上止め具
６１    軸支部
６２    軸支部
６３    軸支部
６４    軸支部
６５    軸支部
６６    軸支部
６７    軸支部
７１    伝達アーム
７２    コイルバネ貫通棒体
７２ａ  ネジ部
７３    コイルバネ当接板
８１    固定フレーム
８２    コイルバネ収容筒
８２ａ  円環状突片
８３    ナット
８４    取り付けプレート
９１    伝達アーム移動ガイド機構部
９２    回動筒
９３    移動ガイド板
【図１】
0003226658.tif 000003
【図２】
0003226658.tif 000004
【図３】
0003226658.tif 000005
【図４】
0003226658.tif 000006
【図５】
0003226658.tif 000007
【図６】
0003226658.tif 000008
【図７】
0003226658.tif 000009
【図８】
0003226658.tif 000010
【図９】
0003226658.tif 000011
【図１０】
0003226658.tif 000012
【図１１】
0003226658.tif 000013
【図１２】
0003226658.tif 000014
【図１３】
0003226658.tif 000015
【図１４】
0003226658.tif 000016
【図１５】
0003226658.tif 000017